(57)【要約】【課題】施設情報（ＰＯＩ情報）を最適なタイミングで更新することができるナビゲーション装置を提供する。【解決手段】ナビゲーション装置１０の更新情報取得部２８は、施設情報検索部２４によって前記施設情報が所定範囲に絞られたことをトリガとして、前記所定範囲内の施設情報の更新情報を取得する。施設情報検索部２４によって施設情報が所定範囲に絞られたことをトリガとして、当該所定範囲内の施設情報の更新情報を取得することで、施設情報を最適なタイミングで更新することができる。【選択図】図２
2011149728.tif 000002
【特許請求の範囲】
【請求項１】
施設情報を含む地図データを記憶する地図データ記憶部と、
ユーザの入力に応じて、前記施設情報を検索して絞り込む施設情報検索部と、
前記施設情報検索部によって絞り込まれた施設情報を表示する表示部と、
前記施設情報の更新情報を取得する更新情報取得部と、
前記更新情報取得部によって取得された前記更新情報を用いて、前記地図データ記憶部の施設情報を更新する地図データ更新部と、
を有するナビゲーション装置であって、
前記更新情報取得部は、
前記施設情報検索部によって前記施設情報が所定範囲に絞られたことをトリガとして、前記所定範囲内の施設情報の更新情報を取得する
ことを特徴とするナビゲーション装置。
【請求項２】
請求項１に記載のナビゲーション装置において、
前記表示部は、
前記施設情報検索部によって前記施設情報が所定範囲に絞られたとき、前記所定範囲内における前記地図データ記憶部に格納されている既存の施設情報を表示し、その後、前記更新情報取得部により更新情報が取得されると、更新情報により更新された最新の施設情報を表示する
ことを特徴とするナビゲーション装置。
【請求項３】
請求項２に記載のナビゲーション装置において、
前記更新情報取得部は、
前記施設情報の内、施設名称を先に取得し、その後に詳細情報を取得する
ことを特徴とするナビゲーション装置。
【請求項４】
請求項３に記載のナビゲーション装置において、
前記更新情報取得部は、
ユーザの操作状態に応じて前記詳細情報を順次取得する
ことを特徴とするナビゲーション装置。
【請求項５】
請求項１〜４のいずれか１項に記載のナビゲーション装置において、
前記所定範囲は、
前記施設情報のジャンル、及びエリアが特定された範囲である
ことを特徴とするナビゲーション装置。
【請求項６】
請求項１〜５のいずれか１項に記載のナビゲーション装置において、
前記更新情報取得部は、
前記更新情報を外部から取得する
ことを特徴とするナビゲーション装置。
【発明の詳細な説明】
【技術分野】
【０００１】
この発明は、位置情報と連動したデジタルコンテンツである施設情報、いわゆるＰＯＩ（Ｐｏｉｎｔ  Ｏｆ  Ｉｎｔｅｒｅｓｔ）情報の更新を適宜に行うナビゲーション装置に関する。
【背景技術】
【０００２】
例えば、レストランあるいはレジャー施設等のジャンルを指定して車載ナビゲーション装置から情報センタへジャンル検索要求（施設検索要求）を行うと、情報センタでは、検索要求に応じて施設情報データベースを検索し、指定されたジャンル中、利用頻度の高い施設順に検索結果を車両のナビゲーション装置に送信するとともに、情報センタ内の施設情報データベースの目的地に設定された施設の利用頻度を更新するようにした通信型ナビゲーション装置が提案されている（特許文献１）。
【０００３】
この特許文献１に係る通信型ナビゲーション装置では、ジャンル検索要求の際には、検索エリア（検索地域）を指定するが、検索エリアの指定のない場合には、車両位置から所定距離以内（例えば３０ｋｍ以内）を検索対象とすることが開示されている。
【先行技術文献】
【特許文献】
【０００４】
【特許文献１】特開２００３−５０１３５号公報（［０００２］、［０００９］、［００２０］、図４）
【発明の概要】
【発明が解決しようとする課題】
【０００５】
しかしながら、上記従来技術に係る通信型ナビゲーション装置では、ジャンル検索要求時に、毎回、情報センタからジャンル検索リスト及び施設情報を取得するため、通信のコストがかかるとともに、検索結果の施設情報を表示部に表示してユーザに提示するまでの時間がかかるという問題がある。
【０００６】
この発明はこのような課題を考慮してなされたものであり、施設情報（ＰＯＩ情報）を最適なタイミングで更新することを可能とするナビゲーション装置を提供することを目的とする。
【０００７】
また、この発明は、検索に対応する施設情報の表示部への表示までの時間を短時間にすることを可能とするとともに、施設情報を取得する通信コストを低減することを可能とするナビゲーション装置を提供することを目的とする。
【課題を解決するための手段】
【０００８】
この発明に係るナビゲーション装置は、施設情報を含む地図データを記憶する地図データ記憶部と、ユーザの入力に応じて、前記施設情報を検索して絞り込む施設情報検索部と、前記施設情報検索部によって絞り込まれた施設情報を表示する表示部と、前記施設情報の更新情報を取得する更新情報取得部と、前記更新情報取得部によって取得された前記更新情報を用いて、前記地図データ記憶部の施設情報を更新する地図データ更新部と、を有するナビゲーション装置であって、前記更新情報取得部は、前記施設情報検索部によって前記施設情報が所定範囲に絞られたことをトリガとして、前記所定範囲内の施設情報の更新情報を取得することを特徴とする。
【０００９】
この発明によれば、施設情報検索部によって施設情報が所定範囲に絞られたことをトリガとして、当該所定範囲内の施設情報の更新情報を取得するようにしたので、施設情報を最適なタイミングで更新することができる。
【００１０】
この場合、前記表示部は、前記施設情報検索部によって前記施設情報が所定範囲に絞られたとき、前記所定範囲内における前記地図データ記憶部に格納されている既存の施設情報を表示し、その後、前記更新情報取得部により更新情報が取得されると、更新情報により更新された最新の施設情報を表示するようにすることで、検索に対応する施設情報の表示部への表示が短時間に行えるとともに、最新の施設情報を確実に表示させることができる。また、地図データ記憶部に格納されている既存の施設情報を表示部に表示するようにしたので、その分、地図データ配信センタ等から施設情報を取得する通信コストを低減することができる。
【００１１】
なお、前記更新情報取得部は、前記施設情報の内、施設名称を先に取得し、その後に詳細情報を取得するようにすることで、ユーザは、施設名称を詳細情報に先んじて表示により確認することができるので利便である。
【００１２】
また、前記更新情報取得部は、ユーザの操作状態に応じて前記詳細情報を順次取得するようにすることで、ユーザの欲する詳細情報を優先的に取得して、ユーザに提示することができる。
【００１３】
さらに、前記所定範囲は、前記施設情報のジャンル、及びエリアが特定された範囲とすることが好ましい。
【００１４】
さらにまた、前記更新情報取得部は、前記更新情報を外部から取得するようにすることで、簡易に適当な時に更新情報を取得することができる。
【発明の効果】
【００１５】
この発明によれば、施設情報（ＰＯＩ情報）を最適なタイミングで更新できる。また、検索に対応する施設情報の表示部への表示までの時間を短時間にすることができる。さらに、施設情報を取得する通信コストを低減することができる。
【図面の簡単な説明】
【００１６】
【図１】この実施形態に係るナビゲーション装置が適用された地図データ更新システムのシステム図である。
【図２】この実施形態に係るナビゲーション装置の詳細な構成を含む車両のブロック図である。
【図３】施設情報の表示・更新処理の説明に供されるフローチャートである。
【図４】施設情報の表示・更新処理の説明に供されるシーケンス図である。
【図５】図５Ａは、目的地設定画面の説明図である。図５Ｂは、施設ジャンル選択画面の説明図である。図５Ｃは、エリア選択画面の説明図である。
【図６】図６Ａは、検索結果画面の説明図である。図６Ｂは、情報取得時画面の説明図である。図６Ｃは、詳細情報取得中画面の説明図である。
【図７】詳細情報画面の説明図である。
【発明を実施するための形態】
【００１７】
以下、この発明の一実施形態に係るナビゲーション装置について図面を参照して説明する。
【００１８】
図１は、この実施形態に係るナビゲーション装置１０に収容されたハードディスク等の記憶部に記憶された地図データを更新する地図データ更新システム１４の構成例を示している。
【００１９】
この地図データ更新システム１４は、ナビゲーション装置１０及び通信端末１６を搭載した車両１２と、移動通信網１８と、地図データ（更新地図データ）が格納されたサーバ２１を備える地図データ配信センタ（更新地図データ配信センタともいう。）２０とから構成されている。
【００２０】
車両１２内のユーザの鞄あるいはポケット等に収納されている携帯電話等の通信端末１６は、無線等でナビゲーション装置１０に接続されるとともに図示しない基地局を含む移動通信網１８を通じて地図データ配信センタ２０に無線接続される。この実施形態に係る通信端末１６は、電話機能とともにデータ通信機能を備える。
【００２１】
図２は、ナビゲーション装置１０の詳細な構成を示す車両１２のブロック図である。
【００２２】
図２から分かるように、ナビゲーション装置１０は、ナビゲーション装置本体１１と、このナビゲーション装置本体１１に接続される入力装置３４、ディスクドライブ（記録媒体読取装置）３５、表示部（モニタ、ディスプレイ）３２、スピーカ（音声出力装置）３６、ＧＰＳ装置３８、振動ジャイロ３９及び車速センサ４０と、を備える。通信端末１６は、ナビゲーション装置本体１１にＢｌｕｅｔｏｏｔｈにより無線で接続されている。通信端末１６とナビゲーション装置本体１１とを、有線で接続することもできる。
【００２３】
ここで、表示部３２は、後述する施設又は施設情報（ＰＯＩ情報）を地図上に表示する液晶表示器等から構成され、入力装置３４は、例えば、その表示部３２上のタッチスクリーン等により構成される。ディスクドライブ３５は、例えば、施設情報を含む地図データが記録された記録媒体であるＣＤ、ＤＶＤ、ＢＤ等の各ディスクを再生することができる。
【００２４】
ナビゲーション装置本体１１は、マイクロコンピュータを含む計算機であり、ＣＰＵ（中央処理装置）、メモリ（記憶部）であるＲＯＭ（ＥＥＰＲＯＭも含む。）、ＲＡＭ（ランダムアクセスメモリ）、及びＨＤＤ、その他、Ａ／Ｄ変換器、Ｄ／Ａ変換器等の入出力装置、及び計時手段としてのタイマ等を有しており、ＣＰＵがＲＯＭに記録されているプログラムを読み出し実行することで各種機能実現部（機能実現手段）、例えば制御部、演算部、処理部等として機能する。
【００２５】
ナビゲーション装置本体１１は、施設情報を含む地図データを記憶する地図データ記憶部２２を備える。
【００２６】
また、ナビゲーション装置本体１１は、より具体的な機能実現部として、ユーザによる入力装置３４の操作入力に応じて表示部３２に表示する施設情報を検索して絞り込む施設情報検索部２４と、前記施設情報の更新情報を取得する更新情報取得部２８と、更新情報取得部２８によって取得された更新情報を用いて、地図データ記憶部２２の施設情報を更新する地図データ更新部３０と、施設情報検索部２４によって前記施設情報が所定範囲に絞られたとき、前記所定範囲内における地図データ記憶部２２に格納されている既存の施設情報を表示し、その後、更新情報取得部２８により更新情報が取得されると、更新情報により更新された最新の施設情報を表示するようにする表示制御部（施設情報表示制御部）２６と、を有する。
【００２７】
ナビゲーション装置１０は、地図データ記憶部２２に記録されている地図データに基づいて、入力装置３４を通じてユーザにより設定された目的地までの推奨経路を探索し、その推奨経路に従って車両１２を誘導することにより、目的地までユーザを案内する。
【００２８】
地図データ更新システム１４では、図１に示すように、地図データ配信センタ２０においてサーバ２１から読み出されて地図データ配信センタ２０から送信され、移動通信網１８を経由し通信端末１６を通じて受信される地図データ（施設情報を含む地図データ）によって、ナビゲーション装置１０の地図データ記憶部２２に記憶されている地図データを、部分的に更新することができる。
【００２９】
図２に示すように、ナビゲーション装置１０は、現在地検出装置（現在位置検出装置）４２を備える。現在地検出装置４２は、自車両１２の現在地を検出する装置であり、例えば、自車両１２の進行方位を検出する振動ジャイロ３９、車速を検出する車速センサ４０、ＧＰＳ衛星からのＧＰＳ信号を検出するＧＰＳ装置３８等から構成される。
【００３０】
ナビゲーション装置１０は、この現在地検出装置４２により検出された自車両１２の現在地に基づいて、推奨経路を探索するときの経路探索開始点を決定することができる。
【００３１】
地図データ配信センタ２０のサーバ２１及びナビゲーション装置１０の地図データ記憶部２２に記録されている地図データには、推奨経路を演算するために用いられる経路計算データや、交差点名称、道路名称など、推奨経路に従って自車両を目的地まで案内するために用いられる経路誘導データ、道路形状を表す道路データ、さらには海岸線や河川、鉄道、建物など、道路以外の地図形状を表す背景データなどが含まれている。
【００３２】
また、サーバ２１及び地図データ記憶部２２に記録されている地図データには、施設情報（ＰＯＩ）の名称や位置、ジャンル（種類）、電話番号などを表す施設情報（ＰＯＩデータともいう。）も含まれている。
【００３３】
前記道路データにおいて、道路区間を表す最小単位はリンクと呼ばれている。すなわち、各道路は所定の道路区間ごとに設定された複数のリンクによって構成されている。なお、リンクによって設定される道路区間の長さは異なっており、リンクの長さは一定ではない。リンク同士を接続している点はノードと呼ばれ、このノードはそれぞれに位置情報（座標情報）を有している。また、リンク内にはノードとノードの間に形状補間点と呼ばれる点が設定されていることもある。形状補間点もノードと同じく、それぞれに位置情報（座標情報）を有している。このノードと形状補間点の位置情報によって、リンク形状、すなわち道路の形状が決定される。経路計算データには、上記の各リンクに対応して、自車両の通過所要時間を表すためのリンクコストと呼ばれる値が設定されている。
【００３４】
上述したように入力装置３４におけるユーザの操作によって目的地が設定されると、現在地検出装置４２により検出された現在地を経路探索開始点として、設定された目的地までの経路演算が経路計算データに基づいて所定のアルゴリズムにより行われ、目的地までの経路が求められる。そして、求められた推奨経路付近の地図が表示部３２に表示され、推奨経路に従って右左折の指示などが適宜行われる。
【００３５】
基本的には以上のように構成されかつ動作するナビゲーション装置１０について、次に、図３に示すナビゲーション装置本体１１のフローチャート及び図４のシーケンス図を参照し、施設情報の更新処理（施設情報を含む地図データの更新処理）について説明する。
【００３６】
ステップＳ１及びシーケンスＳＱ１において、ユーザによる入力装置３４の操作により目的地設定が選択乃至開始されると、表示制御部２６は、ステップＳ２及びシーケンスＳＱ２において、地図データ記憶部２２を参照し、図５Ａに示す目的地設定画面５２を表示部３２上に表示させる。
【００３７】
目的地設定画面５２において、強調表示している「検索して探す」ボタン５４が押されると、「施設ジャンル」ボタン５６等が表示される。
【００３８】
次いで、ステップＳ３において、目的地設定画面５２上で「施設ジャンル」ボタン５６が押されると、シーケンスＳＱ３に示すように、施設ジャンル検索選択を実行する旨がナビゲーション装置本体１１に伝えられ、施設情報検索部２４及び表示制御部２６は、ステップＳ４及びシーケンスＳＱ４において、地図データ記憶部２２を参照して、図５Ｂに示すように、施設ジャンルの項目リスト（施設ジャンル項目リスト）５８を表示する施設ジャンル選択画面６０を表示部３２上に表示させる。
【００３９】
次いで、ステップＳ５及びシーケンスＳＱ５において、施設ジャンル選択画面６０上で、特定の施設ジャンルの選択がなされると、ここでは、「ホテル」ボタン６２が押されて、施設ジャンル「ホテル」が選択されたとすると、施設情報検索部２４及び表示制御部２６は、ステップＳ６及びシーケンスＳＱ６において、図５Ｃに示すエリア選択（地域選択）画面６４を表示部３２上に表示させる。この実施形態において、エリア選択の最小単位は、都道府県単位の選択になっているが、もっと狭めた単位（市、群、町等）としてもよく、広げた単位（関東、東北等）でもよい。
【００４０】
図５Ｃに示すように、施設ジャンルのエリア選択画面６４上では、現在地検出装置４２により検出された自車両の現在地を含む都道府県、図５Ｃ例では「栃木県」が地図６５上で強調表示されている。
【００４１】
次いで、ステップＳ７及びシーケンスＳＱ７において、エリア選択画面６４上で所望のエリアが選択される（この実施形態では、エリア選択画面６４がスクロールされて「東京都」が選択されたものとする。）と、換言すれば、施設情報検索部２４によって施設情報の範囲が所定範囲（所定エリア、所望エリアで、ここでは、「東京都」）に絞られると、ステップＳ８及びシーケンスＳＱ８において、施設情報検索部２４は、この所定範囲に対応して、地図データ記憶部２２に既に記録されている施設情報中の項目情報（この実施形態では名称情報）であるホテル名のリストを検索して、図６Ａに示すような東京都のホテルの項目情報リスト６６（既存項目情報リスト）として表示部３２に表示させる。
【００４２】
なお、この実施形態において、施設情報は、項目情報（名称情報）と各項目の詳細を説明する詳細情報とから構成されている。
【００４３】
項目情報リスト６６が表示される際には、デフォルト（初期設定）で、強調表示される「あ」行の「アアホテル蒲田」を目的地６８として含む地図７０も併せて表示する。
【００４４】
次いで、ステップＳ９及びシーケンスＳＱ１０１において、更新情報取得部２８又はサーバ２１によって、施設情報の更新の必要性有無が判定される。
【００４５】
サーバ２１により、施設情報の更新の必要性の有無を判定する場合には、ステップＳ９及びシーケンスＳＱ１０１において、ナビゲーション装置１０の更新情報取得部２８は、通信端末１６及び移動通信網１８を通じて地図データ配信センタ２０に、所定範囲である所定エリア（ここでは、「東京都」）内の所定ジャンル（ここでは、「ホテル」）毎に、前回、いつ情報を受信したかをサーバ２１に通知する。すなわち、更新情報取得部２８は、施設情報の更新履歴を地図データ記憶部２２に記録している。
【００４６】
この場合、サーバ２１は、条件１として、前回の施設情報の取得時（取得タイミング）からの経過期間と当該経過期間の閾値（閾値経過期間）とを比較することにより、条件２として、前回の施設情報の取得時から今回の通知時との間に当該サーバ２１に施設情報の更新情報が入手されていたか否かを確認することにより、施設情報の更新の必要性の有無を判定する。なお、閾値経過期間は、例えば１ヶ月等に設定される。
【００４７】
サーバ２１は、上記の条件１及び条件２を両方とも満たしていたとき、すなわち、前回の施設情報の取得時からの経過期間が閾値経過期間を過ぎていて、かつサーバ２１に施設情報の更新情報が入手されていた場合には、施設情報の更新の必要性があると判定し、シーケンスＳＱ１０２で、施設情報の項目情報である施設の最新名称リストをナビゲーション装置本体１１の更新情報取得部２８に詳細情報に先立ち送信する。
【００４８】
更新情報取得部２８によりステップＳ９の閾値経過期間を過ぎているか否かを判定する場合には、閾値経過期間を更新情報取得部２８に記録しておけばよい。
【００４９】
次いで、更新情報取得部２８は、ステップＳ１０において施設情報の項目情報の受信中には、図６Ｂに示すように、「最新の情報を取得しています」とメッセージ表示７２を行い、項目情報を受信すると、当該施設情報の項目情報である施設の最新名称リストを、ステップＳ１１及びシーケンスＳＱ９による処理にて地図データ記憶部２２で既存の施設情報にマージ（追加、更新）するとともに、表示部３２上の項目情報リスト６６に最新施設をマージして、図６Ｃに示すように、更新後の項目情報リスト６６ａとして表示する。
【００５０】
なお、サーバ２１は、１ヶ月以内に前回更新している、又は、更新情報が無いことにより、施設情報の更新の必要性が無いと判定した場合には、シーケンスＳＱ１０２において、地図データ配信センタ２０から更新不要との判定結果を、移動通信網１８を通じてナビゲーション装置１０の更新情報取得部２８に通知する。このときには、ステップＳ１０の判定処理である、項目受信有りの判定が否定的とされる。
【００５１】
シーケンスＳＱ１０２及びステップＳ１０で最新施設の名称リストを受信した合（項目情報受信有りの場合）、更新情報取得部２８は、図６Ｃに示したように、最新施設をマージして項目情報リスト６６ａとして表示する。
【００５２】
図６Ｃにおいて、マージされた項目、すなわち、追加・更新がある項目は、当該項目の先頭に星印を付ける等、強調表示（ここでは、赤坂ホテルと浅草イイホテルを強調表示している。）を行うようにすることが好ましい。
【００５３】
このように、サーバ２１から受信した項目情報と地図データ記憶部２２に格納している項目情報をマージして表示する際には、通信に時間がかかるので、上述したように、ステップＳ８において地図データ記憶部２２（ナビゲーション装置１０）に格納している既存の項目情報を先に表示する（図６Ａ、図６Ｂ）。
【００５４】
次いで、図６Ｃに示すように、「詳細情報を取得中です  しばらくお待ちください」のメッセージ表示７８がなされる。
【００５５】
メッセージ表示７８の表示中あるいは表示が消えた後に、例えば、ステップＳ１２及びシーケンスＳＱ１０において、項目情報リスト６６ａ中、例えば、項目情報が更新されている「浅草イイホテル」ボタン８０が押されると（選択されると）、まず、ステップＳ１３において、地図データ記憶部２２に記録されている既存の詳細情報が、図７に示すように詳細情報画面８４としてまず表示され、シーケンスＳＱ１０４で、「浅草イイホテル」についての詳細情報の優先送信要求がサーバ２１に対してなされる。
【００５６】
そして、ステップＳ１４及びシーケンスＳＱ１０３又はＳＱ１０５で項目「浅草イイホテル」の詳細情報の取得を完了したときには、ステップＳ１５及びシーケンスＳＱ１１にて、詳細情報がマージして表示される。シーケンスＳＱ１０５では、シーケンスＳＱ１０４の詳細情報優先送信要求に係る詳細情報が優先して送信された後、残りの詳細情報が順次送信される。
【００５７】
このように、詳細情報は、シーケンスＳＱ１０３に示すように、基本的には、順次送受信（地図データ配信センタ２０から送信、ナビゲーション装置１０で受信）され、送信（受信）の順序は、図６Ｂに示すように、カーソル表示（強調表示）されているくくり（図６Ｂ例では「あ」行）で最初に行われる。この順次送信の途中で、「浅草イイホテル」ボタン８０等を押すことによる新たな項目の選択がなされた場合には（ステップＳ１２；ＹＥＳ）優先され、この詳細情報の優先送受信がなされた後（シーケンスＳＱ１０４、ＳＱ１０５）、また、あいうえお順の順次送信（ＳＱ１０５）にもどるようになっている。
【００５８】
なお、図６Ｃに示しているメッセージ表示７８の表示中あるいは表示が消えた後に、東京都のホテルの項目情報リスト６６ａが表示部３２に表示されている状態において、ユーザの記憶にあって興味のあるホテル名、例えば「サ−ホテル」の最新情報を優先的に取得したいとき、当該ユーザは、項目情報リスト６６ａ中の「さ」行のボタンを押すことにより、「さ」行にカーソル表示が移り、カーソル表示されているくくり、すなわち「さ」行の詳細情報から優先的に順次取得するようにすることができる。
【００５９】
もちろん、図６Ａ及び図６Ｂに示している東京都のホテルの項目情報リスト６６が表示部３２に表示されている状態において、当該ユーザが、項目情報リスト６６中の「さ」行のボタンを押すことにより、「さ」行にカーソル表示が移り、カーソル表示されているくくり、すなわち「さ」行の詳細情報から優先的に順次取得するように変更することもできる。
【００６０】
以上説明したように、上述した実施形態に係るナビゲーション装置１０は、施設情報（ＰＯＩ情報）を含む地図データを記憶する地図データ記憶部２２と、ユーザの入力に応じて、前記施設情報を検索して絞り込む施設情報検索部２４と、施設情報検索部２４によって絞り込まれた施設情報を表示する表示部３２と、前記施設情報の更新情報を取得する更新情報取得部２８と、更新情報取得部２８によって取得された前記更新情報を用いて、地図データ記憶部２２の施設情報を更新する地図データ更新部３０と、を有するナビゲーション装置１０であって、更新情報取得部２８は、施設情報検索部２４によって前記施設情報が所定範囲（上述の実施形態では、施設ジャンルがホテルでかつエリアが東京都）に絞られたことをトリガとして、前記所定範囲内の施設情報の更新情報を取得するようにしている。
【００６１】
このように、施設情報検索部２４によって施設情報が所定範囲に絞られたことをトリガとして、当該所定範囲内の施設情報の更新情報を取得するようにしたので、施設情報を最適なタイミングで更新することができる。換言すれば、更新情報を取得するまでの通信時間を気にすることなく、最適なタイミングで施設情報を更新することができる。
【００６２】
この場合、表示部３２は、施設情報検索部２４によって前記施設情報が所定範囲に絞られたとき、前記所定範囲内における地図データ記憶部２２に格納されている既存の施設情報を表示し、その後、更新情報取得部２８により更新情報が取得されると、更新情報により更新された最新の施設情報を表示するようにすることで、検索に対応する施設情報の表示部３２への表示が短時間に行えるとともに、最新の施設情報を確実に表示させることができる。また、地図データ記憶部２２に格納されている既存の施設情報を表示部３２に表示するようにしたので、その分、施設情報を取得する通信コストを低減することができる。
【００６３】
なお、更新情報取得部２８は、前記施設情報の内、項目情報である施設名称を先に取得し、その後に詳細情報を取得するようにすることで、ユーザは、施設名称を詳細情報に先んじて表示により確認することができるので利便である。
【００６４】
また、更新情報取得部２８は、ユーザの操作状態に応じて前記詳細情報を順次取得するようにすることで、ユーザの欲する詳細情報を優先的に取得して、ユーザに提示することができる。
【００６５】
上記のように、所定範囲は、施設情報のジャンル、及びエリアが特定された範囲とすることが好ましい。すなわち、施設検索によって、ジャンル及びエリアが絞りこまれると、既存の施設情報リストをユーザに提示すると同時に、前記ジャンル及びエリアに該当する施設名称（項目情報）の更新情報の取得を開始し、施設名称の更新情報が取得できた時点で施設情報リストを更新し（表示も更新し）、その後、ユーザの操作状態に応じて詳細情報の更新情報を順次更新することで、更新情報を取得するまでの通信時間を気にすることなく、最適なタイミングで施設情報を更新することができる。
【００６６】
さらに、更新情報取得部２８は、前記更新情報を外部、上述の実施形態では、地図データ配信センタ２０から取得するようにすることで、簡易に適当な時に更新情報を取得することができる。
【００６７】
すなわち、上述した実施形態によれば、施設情報（ＰＯＩ情報）を最適なタイミングで更新することができる。また、検索に対応する施設情報の表示部３２への表示を短時間にすることができる。さらに、施設情報を取得する通信コストを低減することができる。さらにまた、ユーザの欲する最新の施設情報を優先的に取得することができる。
【００６８】
なお、この発明は、上述の実施形態に限らず、この明細書の記載内容に基づき、種々の構成を採り得ることはもちろんである。
【符号の説明】
【００６９】
１０…ナビゲーション装置              １１…ナビゲーション装置本体
１２…車両                            １４…地図データ更新システム
１６…通信端末                        １８…移動通信網
２０…地図データ配信センタ            ２１…サーバ
２２…地図データ記憶部                ２４…施設情報検索部
２６…表示制御部                      ２８…更新情報取得部
３０…地図データ更新部                ３２…表示部
３４…入力装置                        ４２…現在地検出装置
【図１】
2011149728.tif 000003
【図２】
2011149728.tif 000004
【図３】
2011149728.tif 000005
【図４】
2011149728.tif 000006
【図５】
2011149728.tif 000007
【図６】
2011149728.tif 000008
【図７】
2011149728.tif 000009